(57)【要約】  ケーシング（１）は、底面に送風機メンテナンス用開口部を備え、給気外側送風機ユニット（９）及び排気外側送風機ユニット（９ｃ）の各々は、給気流又は排気流を発生させるファンと、ファンを回転させる送風機モータと、一方の面側に送風機モータが配置され、一方の面と対向する他方の面に空気を取り込むベルマウス部を備え、ファンを収容するスクロールケーシングとを有し、給気外側送風機ユニット（９）及び排気外側送風機ユニット（９ｃ）は、ケーシング（１）との固定を外すことで、送風機モータの軸方向において吸気口に繋がる反モータ側風路へ移動可能であり、かつ、送風機モータ及びファンを含む送風機アセンブリは、スクロールケーシングから分離することで、メンテナンス用開口部を通してケーシング（１）の外に取り出し可能である。
2017072902.tif 000002
【特許請求の範囲】
【請求項１】
室外空気を室内に給気する給気路及び室内空気を室外に排気する排気路が設けられたケーシングと、
前記ケーシングの内部に設置されて前記給気路を通る給気流と前記排気路を通る排気流との間で熱交換を行う熱交換器と、
前記ケーシングの内部に固定されて前記給気流を発生させる給気送風機ユニットと、
前記ケーシングの内部に固定されて前記排気流を発生させる排気送風機ユニットとを有し、
前記ケーシングは、底面に送風機メンテナンス用開口部を備え、
前記給気送風機ユニット及び前記排気送風機ユニットの各々は、前記給気流又は前記排気流を発生させるファンと、前記ファンを回転させる送風機モータと、一方の面側に前記送風機モータが配置され、前記一方の面と対向する他方の面に空気を取り込むベルマウス部を備え、前記ファンを収容するスクロールケーシングとを有し、
前記給気送風機ユニット及び前記排気送風機ユニットの少なくとも一方は、前記ケーシングとの固定を外すことで、前記送風機モータの軸方向において前記吸気口に繋がる反モータ側風路へ移動可能であり、かつ、前記送風機モータ及び前記ファンを含む送風機アセンブリは、前記スクロールケーシングから分離することで、前記送風機メンテナンス用開口部を通して前記ケーシングの外に取り出し可能であることを特徴とする熱交換換気装置。
【請求項２】
前記給気送風機ユニット及び前記排気送風機ユニットを各々複数有し、
複数の前記給気送風機ユニット及び前記排気送風機ユニットが前記送風機モータの軸方向に並んで配置されていることを特徴とする請求項１に記載の熱交換換気装置。
【請求項３】
前記給気送風機ユニット及び前記排気送風機ユニットは、前記スクロールケーシングの前記一方の面にも前記吸気口を備えることを特徴とする請求項１に記載の熱交換換気装置。
【請求項４】
前記反モータ側風路へ移動可能な前記給気送風機ユニット及び前記反モータ側風路へ移動可能な前記排気送風機ユニットのモータ側風路の前記送風機モータの軸方向における長さは、前記給気送風機ユニット又は前記排気送風機ユニットが前記ケーシングに固定された状態では前記送風機アセンブリの長さより短く、前記給気送風機ユニット又は前記排気送風機ユニットを前記反モータ側風路へ移動させた状態では前記送風機アセンブリの長さより長いことを特徴とする請求項１から３のいずれか１項に記載の熱交換換気装置。
【請求項５】
前記送風機メンテナンス用開口部は、前記モータ側風路に通じていることを特徴とする請求項４に記載の熱交換換気装置。
【発明の詳細な説明】
【技術分野】
【０００１】
本発明は、給気流と排気流との間で熱交換を行いながら換気を行う熱交換換気装置に関する。
【背景技術】
【０００２】
熱交換換気装置は、空気対空気での熱交換を行う熱交換器を内蔵し、熱交換を行いながら同時給排気により換気を行う。熱交換器は、室外の空気を室内に導入する給気路と、室内の空気を室外へ排出する排気路とを備えている。特許文献１には、天井裏に設置される熱交換換気装置であって、熱交換器の片方側に、給気送風機及び排気送風機を配置したものが開示されている。【０００３】
特許文献１に開示される熱交換換気装置は、給気路に設けられて室外側吸込口から室内側吹出口に向かう給気流を生成する給気用の送風機と、排気路に設けられて室内側吸込口から室外側吹出口に向かう排気流を生成する排気用の送風機とが、羽根部材の回転軸、すなわちモータ回転軸がケーシングの底面と垂直になるように設置されている。【０００４】
特許文献１に開示される熱交換換気装置は、メンテナンス時に送風機の着脱を容易に行えるように、筐体側面に、熱交換器のメンテナンス用の点検口とは別に、送風機のメンテナンス用の点検口を設けている。特許文献１に開示される熱交換換気装置は、送風機固定板の曲げ部がはまり込むガイド部のあるレール部品を設けているため、重量物である送風機を手で持ち上げることなく筐体から引っ張り出すことができる。
【先行技術文献】
【特許文献】
【０００５】
【特許文献１】特開２０１４−９２３２４号公報
【発明の概要】
【発明が解決しようとする課題】
【０００６】
しかしながら、特許文献１のような天井埋め込み型の熱交換換気装置では、スクロールケーシングが付いたまま送風機ユニット全体を取り外すことになるため、レール部品上をスライドさせるにしても作業は重労働である。【０００７】
本発明は、上記に鑑みてなされたものであって、送風機ユニットのスクロールケーシングを除いた送風機アセンブリを取り出すことができる熱交換換気装置を得ることを目的とする。
【課題を解決するための手段】
【０００８】
上述した課題を解決し、目的を達成するために、本発明は、室外空気を室内に給気する給気路及び室内空気を室外に排気する排気路が設けられたケーシングと、ケーシングの内部に設置されて給気路を通る給気流と排気路を通る排気流との間で熱交換を行う熱交換器と、ケーシングの内部に固定されて給気流を発生させる給気送風機ユニットと、ケーシングの内部に固定されて排気流を発生させる排気送風機ユニットとを有する。本発明において、ケーシングは、底面に送風機メンテナンス用開口部を備え、給気送風機ユニット及び排気送風機ユニットの各々は、給気流又は排気流を発生させるファンと、ファンを回転させる送風機モータと、一方の面側に送風機モータが配置され、一方の面と対向する他方の面に空気を取り込むベルマウス部を備え、ファンを収容するスクロールケーシングとを有する。給気送風機ユニット及び排気送風機ユニットの少なくとも一方は、ケーシングとの固定を外すことで、送風機モータの軸方向において吸気口に繋がる反モータ側風路へ移動可能であり、かつ、送風機モータ及びファンを含む送風機アセンブリは、スクロールケーシングから分離することで、メンテナンス開口部を通してケーシングの外に取り出し可能である。
【発明の効果】
【０００９】
本発明に係る熱交換換気装置は、送風機ユニットのスクロールケーシングを除いた送風機アセンブリを取り出すことができるという効果を奏する。
【図面の簡単な説明】
【００１０】
【図１】本発明の実施の形態に係る熱交換換気装置の天面側の斜視図
【図２】実施の形態に係る熱交換換気装置の底面側の斜視図
【図３】実施の形態に係る熱交換換気装置のケーシング内部での空気の流れを示す図
【図４】実施の形態に係る熱交換換気装置の送風機ユニットの斜視図
【図５】実施の形態に係る熱交換換気装置の送風機ユニットの側面断面図
【図６】実施の形態に係る熱交換換気装置の送風機ユニットの送風機モータが設置されている方向から見た平面図
【図７】実施の形態に係る熱交換換気装置の送風機ユニットの送風機モータが設置されている方向とは反対方向から見た平面図
【図８】実施の形態に係る熱交換換気装置の送風機ユニットの斜視図
【図９】実施の形態に係る熱交換換気装置の室内側側面から見た送風機ユニットの配置を示す図
【図１０】実施の形態に係る熱交換換気装置の給気送風機側開口部から見た給気外側送風機ユニットのスライド状態を示す図
【図１１】実施の形態に係る熱交換換気装置の排気送風機ユニットの取り出し方を示す図
【図１２】実施の形態に係る熱交換換気装置の給気送風機ユニット及び排気送風機ユニットの送風機モータの斜視図
【発明を実施するための形態】
【００１１】
以下に、本発明の実施の形態に係る熱交換換気装置を図面に基づいて詳細に説明する。なお、この実施の形態によりこの発明が限定されるものではない。
【００１２】
実施の形態．
図１は、本発明の実施の形態に係る熱交換換気装置の天面側の斜視図である。図２は、実施の形態に係る熱交換換気装置の底面側の斜視図である。熱交換換気装置５０は、空調対象空間の空気を取り込んで空調対象空間外に排出するとともに、空調対象空間外の空気を取り込んで空調対象空間に供給する。空調対象空間の具体例には、家屋、ビルディング及び倉庫を挙げることができる。以下の説明においては、空調対象空間が家屋の室内であるとする。なお、「室外空気」は熱交換換気装置５０から室内に供給される「給気」に対応し、「室内空気」は、熱交換換気装置５０から室外に排出される「排気」に対応する。
【００１３】
熱交換換気装置５０は、天井埋め込み型であり、筐体を構成するケーシング１と、給気流と排気流との間で熱交換を行う熱交換器１２と、給気流を生成する給気外側送風機ユニット９及び給気内側送風機ユニット９ａと、排気流を生成する排気内側送風機ユニット９ｂ及び排気外側送風機ユニット９ｃと、排気流を熱交換器１２に通すか否かを切り替える開閉ダンパー１１とを有する。
【００１４】
ケーシング１は、直方体の箱体であり、室外側吸込口２及び室内側吸込口４が形成された吸込口側側面１ｃと、吸込口側側面１ｃと対向し、室外側吹出口３及び室内側吹出口５が設けられた吹出口側側面１ｄと、熱交換器１２の出し入れを行うための熱交換器側開口部１３ａが形成された室内側側面１ｅと、給気外側送風機ユニット９及び給気内側送風機ユニット９ａの出し入れを行うための給気送風機側開口部１４ａが形成された室内側底面１ａと、排気内側送風機ユニット９ｂ及び排気外側送風機ユニット９ｃの出し入れを行うための排気送風機側開口部１５ａが形成された室外側底面１ｂと、室内側側面１ｅと対向する室外側側面１ｆと、室内側底面１ａと対向する室内側天面１ｇと、室外側底面１ｂと対向する室外側天面１ｈとを有する。室内側側面１ｅには、制御回路を収容する制御箱４２が設置されている。なお、室内側側面１ｅは、吸込口側側面１ｃとの角部を含む空間に室内空気が取り込まれるために熱交換換気装置５０の「室内側」と称されるものであり、室外側側面１ｆは、吸込側側面１ｃとの角部を含む空間に室外空気が取り込まれるために熱交換換気装置５０の「室外側」と称される。すなわち、熱交換換気装置５０を設置する方向は、室内側側面１ｅが室内側を向き、室外側側面が室外側を向く方向に限定されることはない。
【００１５】
ケーシング１の内部には、熱交換器１２、給気外側送風機ユニット９、給気内側送風機ユニット９ａ、排気内側送風機ユニット９ｂ及び排気外側送風機ユニット９ｃが組み込まれている。給気外側送風機ユニット９及び給気内側送風機ユニット９ａは、給気流を発生させる給気用送風機ユニットである。排気内側送風機ユニット９ｂ及び排気外側送風機ユニット９ｃは、排気流を発生させる排気送風機ユニットである。給気外側送風機ユニット９は、室内側側面１ｅ寄りに設置され、給気内側送風機ユニット９ａは、ケーシング１の中央寄りに設置されている。排気内側送風機ユニット９ｂ及び排気外側送風機ユニット９ｃは、吹出口側側面１ｄ側かつ室外側側面１ｆ側に配置されている。給気外側送風機ユニット９及び給気内側送風機ユニット９ａは、吸込口側側面１ｃ及び吹出口側側面１ｄと平行な方向に並んで配置されている。また、排気内側送風機ユニット９ｂは、ケーシング１の中央寄りに設置され、排気外側送風機ユニット９ｃは、室外側側面１ｆ寄りに設置されている。排気内側送風機ユニット９ｂ及び排気外側送風機ユニット９ｃは、吸込口側側面１ｃ及び吹出口側側面１ｄと平行な方向に並んで配置されている。
【００１６】
給気外側送風機ユニット９、給気内側送風機ユニット９ａ、排気内側送風機ユニット９ｂ及び排気外側送風機ユニット９ｃは、ケーシング１の内部に固定されている。具体的には、給気外側送風機ユニット９及び給気内側送風機ユニット９ａは、室内側底面１ａ及び室内側天面１ｇにねじで固定されている。排気内側送風機ユニット９ｂ及び排気外側送風機ユニット９ｃは、室外側底面１ｂ及び室外側天面１ｈにねじで固定されている。
【００１７】
熱交換器側開口部１３ａには、熱交換器メンテナンスパネル１３が設置されて塞がれている。給気送風機側開口部１４ａには、給気送風機メンテナンスパネル１４が設置されて塞がれている。排気送風機側開口部１５ａには、排気送風機メンテナンスパネル１５が設置されて塞がれている。給気送風機側開口部１４ａ及び排気送風機側開口部１５ａは、送風機メンテナンス用開口部である。
【００１８】
ケーシング１の内部には、室外側吸込口２と室内側吹出口５とを連通させて室外の空気を室内に給気する給気路６と、室内側吸込口４と室外側吹出口３とを連通させて室内の空気を室外に排気する排気路７とが形成されている。なお、図１における実線の矢印は、給気路６を通る給気流を示し、破線の矢印は排気路７を通る排気流を示している。
【００１９】
なお、室外側吸込口２と室内側吹出口３とは、上面視で対角に配置されており、室内側吸込口４と室外側吹出口５とは、上面視で対角に配置されている。
【００２０】
給気路６と排気路７とは、全経路にわたり隔離されている。給気路６及び排気路７の途中には、熱交換器１２が設置されている。熱交換器１２は、室内側側面１ｅ側から見て左側、すなわち、ケーシング１の中央よりも吸込口側側面１ｃ寄りに配置されている。
【００２１】
給気外側送風機ユニット９、給気内側送風機ユニット９ａ、排気内側送風機ユニット９ｂ及び排気外側送風機ユニット９ｃは、熱交換器１２の二次側に位置している。すなわち、給気外側送風機ユニット９及び給気内側送風機ユニット９ａは、熱交換器１２から給気流が吹き出される側に位置している。また、排気内側送風機ユニット９ｂ及び排気外側送風機ユニット９ｃは、熱交換器１２から排気流が吹き出される側に位置している。
【００２２】
熱交換器１２は、給気路６を通過する給気流と排気路７を通過する排気流との間で熱交換を行わせる。熱交換器１２の内部において、給気路６と排気路７とは、熱交換器１２を構成する仕切り壁を介して交差している。したがって、熱交換器１２の内部では、給気路６を通過する給気流と排気路７を通過する排気流との間で、仕切り壁を介して熱交換が行われる。
【００２３】
図３は、実施の形態に係る熱交換換気装置のケーシング内部での空気の流れを示す図である。実施の形態に係る熱交換換気装置５０は、熱交換器１２内で給気路６と交差する排気路７とは別に、室内側から室外側に排気流を排出させるためのバイパス風路８を備えている。なお、図３における実線の矢印は、給気路６を通る給気流を示し、破線の矢印は排気路７を通る排気流を示し、点線の矢印はバイパス風路８を通るバイパス気流を示している。
【００２４】
開閉ダンパー１１は、室内側吸込口４と熱交換器１２との間に設置されており、排気路７を通じて室内側から室外側へ排気流を排出するか、バイバス風路８を通じて室内側から室外側へ排気流を排出するかを切り替えることにより、排気流が熱交換器１２を通るか否かが切り替わる。
【００２５】
図１に示したように内部風路仕切り部品１０は、熱交換器１２と吹出口側側面１ｄとに跨がるように配置されて室内側底面１ａにねじで固定されており、給気外側送風機ユニット９及び給気内側送風機ユニット９ａと、排気内側送風機ユニット９ｂ及び排気外側送風機ユニット９ｃとを空間的に隔離し、給気路６と排気路７とが交わらないようにしている。
【００２６】
なお、給気外側送風機ユニット９及び給気内側送風機ユニット９ａと、排気内側送風機ユニット９ｂ及び排気外側送風機ユニット９ｃとは、内部風路仕切り部品１０によって空間的に隔離されているが、給気外側送風機ユニット９と給気内側送風機ユニット９ａとは隔離されておらず、排気内側送風機ユニット９ｂと排気外側送風機ユニット９ｃとは隔離されていない。
【００２７】
図３に示すように、給気路６を通過する給気流は、吸込口側側面１ｃに形成された室外側吸込口２からケーシング１内に流入し、熱交換器通過前給気路６ａ及び熱交換器通過後給気路６ｂを通った後、給気送風機ユニット通過前給気路６ｃ及び給気送風機ユニット通過後給気路６ｄを通過して、吹出口側側面１ｄに形成された室内側吹出口５から室内側に吹き出される。
【００２８】
排気路７を通過する排気流は、吸込口側側面１ｃに形成された室内側吸込口４からケーシング１内に流入し、熱交換器通過前排気路７ａ及び熱交換器通過後排気路７ｂを通った後、排気送風機ユニット通過前排気路７ｃ及び排気送風機ユニット通過後排気路７ｄを通過して、吹出口側側面１ｄに形成された室外側吹出口３から室外側に吹き出される。
【００２９】
バイパス風路８を通過する排気流は、吸込口側側面１ｃに形成された室内側吸込口４からケーシング１内に流入し、バイパス風路８を通った後、排気送風機ユニット通過前排気路７ｃ及び排気送風機ユニット通過後排気路７ｄを通過して、吹出口側側面１ｄに形成された室外側吹出口３から室外側に吹き出される。
【００３０】
図４は、実施の形態に係る熱交換換気装置の送風機ユニットの斜視図である。図５は、実施の形態に係る熱交換換気装置の送風機ユニットの側面断面図である。図６は、実施の形態に係る熱交換換気装置の送風機ユニットの送風機モータが設置されている方向から見た平面図である。図７は、実施の形態に係る熱交換換気装置の送風機ユニットの送風機モータが設置されている方向とは反対方向から見た平面図である。以下、送風機モータ３５が設置されている側を「モータ側」、送風機モータ３５が設置されている側と反対の側を「反モータ側」という。
【００３１】
給気外側送風機ユニット９及び排気外側送風機ユニット９ｃは、給気流又は排気流を発生させるファンである送風機羽根３２、送風機羽根３２を収容するスクロールケーシング３１、送風機羽根３２を回転させる送風機モータ３５、スクロールケーシングを支持する風路固定部３３ａ、送風機モータ３５を支持する送風機モータ固定部３３ｂ及びケーシング１への固定しろである送風機ユニット固定部品３４で構成されている。風路固定部３３ａと送風機ユニット固定部品３４とは、ねじ３８で固定されている。
【００３２】
給気外側送風機ユニット９及び排気外側送風機ユニット９ｃは、送風機ユニット固定部品３４がケーシング１にねじで固定される。
【００３３】
スクロールケーシング３１は、シロッコファンで構成される送風機羽根３２を内包する吸込型のベルマウス部３１ｂを備え、吹出方向に連続する出口部３１ｃが形成された一体成形物である。すなわち、スクロールケーシング３１は、一方の面側に送風機モータ３５が配置され、送風機モータ３５が配置された一方の面に空気を取り込むベルマウス部３１ａを備え、一方の面と対向する他方の面に空気を取り込むベルマウス部３１ｂを備える。送風機モータ３５は、スクロールケーシング３１の底部に設けられた風路固定部３３ａにアセンブリ固定ねじ３６で固定された送風機モータ固定部３３ｂに固定され、モータ軸は送風機羽根３２を回転可能に軸支している。送風機モータ３５は、モータ軸がケーシングの室内側底面１ａ及び室外側底面１ｂと平行になるように設置される。
【００３４】
給気外側送風機ユニット９、給気内側送風機ユニット９ａ、排気内側送風機ユニット９ｂ及び排気外側送風機ユニット９ｃは、送風機モータ３５を駆動して、送風機羽根３２が回転することにより、反モータ側のベルマウス部３１ｂ及びモータ側のベルマウス部３１ａから吸い込まれた空気は、送風機羽根３２の回転方向に沿ってスクロールケーシング３１の出口部３１ｃから吹き出される。出口部３１ｃから吹き出された空気は、吹出口側側面１ｄに設けられている室外側吹出口３又は室内側吹出口５から室内側又は室外側へ吹き出される。
【００３５】
なお、スクロールケーシング３１と風路固定部３３ａとは、ワッシャ付きねじで固定されており、密着状態を形成している。したがって、反モータ側のベルマウス部３１ａ及びモータ側のベルマウス部３１ｂから吸い込まれた空気は、スクロールケーシング３１の出口部３１ｃ以外に漏れることがない構造となっている。すなわち、スクロールケーシング３１に吸い込まれた空気は、出口部３１ｃ以外の部分から吹き出すことはない。
【００３６】
図８は、実施の形態に係る熱交換換気装置の送風機ユニットの斜視図である。給気内側送風機ユニット９ａ及び排気内側送風機ユニット９ｂは、スクロールケーシング３１、送風機羽根３２、風路固定部３３ａ、送風機モータ固定部３３ｂ及び送風機モータ３５で構成されている。給気内側送風機ユニット９ａ及び排気内側送風機ユニット９ｂは、送風機ユニット固定部品３４を備えない点を除いて給気外側送風機ユニット９及び排気外側送風機ユニット９ｃと同様である。
【００３７】
給気内側送風機ユニット９ａ及び排気内側送風機ユニット９ｂは、風路固定部３３ａがケーシング１にねじで固定される。
【００３８】
図９は、実施の形態に係る熱交換換気装置の室内側側面から見た送風機ユニットの配置を示す図である。図１０は、実施の形態に係る熱交換換気装置の給気送風機側開口部から見た給気外側送風機ユニットのスライド状態を示す図である。図１１は、実施の形態に係る熱交換換気装置の排気送風機ユニットの取り出し方を示す図である。給気送風機ユニット通過前給気路６ｃは、給気外側送風機ユニット９の反モータ側風路である給気外側送風機ユニット反モータ側風路１６、給気外側送風機ユニット９のモータ側風路である給気外側送風機ユニットモータ側風路１６ａ及び給気内側送風機ユニット９ａの反モータ側風路である給気内側送風機ユニット反モータ側風路１６ｂを備える。排気送風機ユニット通過前給気路７ｃは、排気外側送風機ユニット９ｃの反モータ側風路である排気外側送風機ユニット反モータ側風路１７、排気外側送風機ユニット９ｃのモータ側風路である排気外側送風機ユニットモータ側風路１７ａ及び排気内側送風機ユニット９ｂの反モータ側風路である排気内側送風機ユニット反モータ側風路１７ｂを備える。
【００３９】
ケーシング１の室内側底面１ａには、給気送風機メンテナンスパネル１４が取り付けられており、送風機メンテナンス用のメンテナンス口である給気送風機側開口部１４ａを塞いでいる。また、室外側底面１ｂには、排気送風機メンテナンスパネル１５が取り付けられており、送風機メンテナンス用のメンテナンス口である排気送風機側開口部１５ａを塞いでいる。給気送風機側開口部１４ａは、給気外側送風機ユニットモータ側風路１６ａに通じており、排気送風機側開口部１５ａは、排気外側送風機ユニットモータ側風路１７ａに通じている。
【００４０】
以下、図４から図１１に基づいて給気外側送風機ユニット９及び給気内側送風機ユニット９ａのメンテナンスのために送風機を取り外す手順について説明する。まず、天井板に設けられたメンテナンス口から、室内側底面１ａに取り付けられた給気送風機メンテナンスパネル１４を取り外し、給気送風機側開口部１４ａからケーシング１内に手を入れ、風路固定部３３ａと送風機ユニット固定部品３４とを固定しているねじ３８を取り外す。
【００４１】
続いて、送風機ユニット固定部品３４以外の給気外側送風機ユニット９を室内側側面１ｅ方向にスライドさせる。給気外側送風機ユニット９が給気外側送風機ユニット反モータ側風路１６側に移動した分、給気外側送風機ユニットモータ側風路１６ａのスペースが大きくなり、送風機ユニットのメンテナンス用のスペースが確保される。すなわち、給気外側送風機ユニット９がケーシング１に固定された状態での給気外側送風機ユニットモータ側風路１６ａの送風機モータ３５の軸方向における長さＬ１は、給気外側送風機ユニット９がケーシング１に固定された状態では送風機アセンブリ３９の長さＡより短い。また、給気外側送風機ユニット９を給気外側送風機ユニット反モータ側風路１６へ移動させた状態での給気外側送風機ユニットモータ側風路１６ａの送風機モータ３５の軸方向における長さＬ２は、送風機アセンブリ３９の長さＡより長い。
【００４２】
次に、給気外側送風機ユニット９の風路固定部３３ａに送風機モータ固定部３３ｂを固定しているアセンブリ固定ねじ３６を外し、スクロールケーシング３１及び風路固定部３３ａは残したまま、モータ側のベルマウス部３１ａ、送風機羽根３２及び送風機モータ３５が一体となった送風機アセンブリ３９をモータ軸と平行に給気外側送風機ユニットモータ側風路１６ａ側に移動させてから、給気送風機側開口部１４ａからケーシング１の外に取り出す。
【００４３】
給気内側送風機ユニット９ａについても、給気外側送風機ユニット９を室内側側面１ｅ側にスライドさせて給気外側送風機ユニットモータ側風路１６ａのスペースを広げたのち、給気内側送風機ユニット９ａの風路固定部３３ａはケーシング１に固定したまま、送風機モータ固定部３３ｂを固定しているアセンブリ固定ねじ３６を外し、送風機アセンブリ３９のみをモータ軸と平行に給気外側送風機ユニットモータ側風路１６ａ側に移動させてから、給気送風機側開口１４ａからケーシング１の外に取り出す。
【００４４】
次に、排気内側送風機ユニット９ｂ及び排気外側送風機ユニット９ｃのメンテナンスのために送風機を取り外す手順について説明する。まず、天井板に設けられたメンテナンス口から、室外側底面１ｂに取り付けられた排気送風機メンテナンスパネル１５を取り外し、排気送風機側開口部１５ａからケーシング１内に手を入れ、風路固定部３３ａと送風機ユニット固定部品３４とを固定しているねじ３８を取り外す。
【００４５】
次に、送風機ユニット固定部品３４以外の排気外側送風機ユニット９ｃを室外側側面１ｆ方向にスライドさせる。すなわち、排気外側送風機ユニット９ｃがケーシング１に固定された状態での排気外側送風機ユニットモータ側風路１６ａの送風機モータ３５の軸方向における長さＬ３は、排気外側送風機ユニット９がケーシング１に固定された状態では送風機アセンブリ３９の長さＡより短い。また、排気外側送風機ユニット９ｃを排気外側送風機ユニット反モータ側風路１７へ移動させた状態での排気外側送風機ユニットモータ側風路１７ａの送風機モータ３５の軸方向における長さＬ４は、送風機アセンブリ３９の長さＡより長い。したがって、排気外側送風機ユニット９ｃが排気外側送風機ユニット反モータ側風路１７側に移動した分、排気外側送風機ユニットモータ側風路１７ａのスペースが大きくなり、送風機ユニットのメンテナンス用のスペースが確保される。
【００４６】
続いて、排気外側送風機ユニット９ｃの風路固定部３３ａに送風機モータ固定部３３ｂを固定しているアセンブリ固定ねじ３６を外し、スクロールケーシング３１及び風路固定部３３ａは残したまま、送風機アセンブリ３９のみをモータ軸と平行に排気外側送風機ユニットモータ側風路１７ａ側に移動させてから、排気送風機側開口部１５ａからケーシング１の外に取り出す。
【００４７】
排気内側送風機ユニット９ｂについても、排気外側送風機ユニット９ｃを室外側側面１ｆ側にスライドさせて排気外側送風機ユニットモータ側風路１７ａのスペースを広げたのち、排気内側送風機ユニット９ｂの風路固定部３３ａはケーシング１に固定させたまま、送風機モータ固定部３３ｂを固定しているアセンブリ固定ねじ３６を外し、送風機アセンブリ３９のみをモータ軸と平行に排気外側送風機ユニットモータ側風路１７ａ側に移動させてから、排気送風機側開口１５ａからケーシング１の外に取り出す。
【００４８】
このように、給気外側送風機ユニット９及び排気外側送風機ユニット９ｃは、ケーシング１との固定を外すことで、送風機モータ３５の軸方向においてベルマウス部３１ｂに繋がる反モータ側空間へ移動可能であり、かつ、送風機モータ３５及び送風機羽根３２とを含む送風機アセンブリ３９は、スクロールケーシング３１から分離することで、給気送風機側開口部１４ａ又は排気送風機側開口部１５ａを通してケーシング１の外に取り出し可能である。
【００４９】
図１２は、実施の形態に係る熱交換換気装置の給気送風機ユニット及び排気送風機ユニットの送風機モータの斜視図である。給気送風機ユニット及び排気送風機ユニットは、風路固定部３３ａに送風機アセンブリ位置決め用引っ掛け部３７を備えている。送風機アセンブリ３９を取り出す際、給気外側送風機ユニット９の風路固定部３３ａに送風機モータ固定部３３ｂを固定しているアセンブリ固定ねじ３６を外しても送風機アセンブリ３９が脱落することを防止している。
【００５０】
以上説明したように、実施の形態に係る熱交換換気装置５０では、給気外側送風機ユニット９は、風路固定部３３ａに取り付けられている送風機ユニット固定部品３４とケーシング１の室内側底面１ａ及び室内側天面１ｇとをねじで固定することによって保持されている。また、排気外側送風機ユニット９ｃは、風路固定部３３ａに取り付けられている送風機ユニット固定部品３４とケーシング１の室外側底面１ｂ及び室外側天面１ｈとをねじで固定することによって保持されている。したがって、送風機のメンテナンス時は、風路固定部３３ａと送風機ユニット固定部品３４とを固定しているねじ３８を外すことで、給気外側送風機ユニット９は室内側側面１ｅ側にスライドさせることが可能となり、排気外側送風機ユニット９ｃは室外側側面１ｆ側にスライドさせることが可能となる。
【００５１】
また、実施の形態に係る熱交換換気装置５０は、給気外側送風機ユニット９と給気内側送風機ユニット９ａとの間に給気送風機側開口部１４ａが設けられているため、給気外側送風機ユニット９をスライドさせる作業及び送風機アセンブリ３９を取り出す作業を容易に行える。同様に、実施の形態に係る熱交換換気装置５０は、排気内側送風機ユニット９ｂと排気外側送風機ユニット９ｃとの間に排気送風機側開口部１５ａが設けられているため、排気外側送風機ユニット９ｃをスライドさせる作業及び送風機アセンブリ３９を取り出す作業を容易に行える。
【００５２】
実施の形態に係る熱交換換気装置５０では、給気外側送風機ユニット９及び給気内側送風機ユニット９ａは、送風機モータ３５が互いに向き合って配置されているため、室内側底面１ａに取り付けられた給気送風機メンテナンスパネル１４を取り外した後で、給気送風機側開口部１４ａから送風機アセンブリ３９を取り出すことが可能である。また、実施の形態に係る熱交換換気装置５０は、排気内側送風機ユニット９ｂ及び排気外側送風機ユニット９ｃに関しても、送風機モータ３５が互いに向き合って配置されているため、室外側底面１ｂに取り付けられた排気送風機メンテナンスパネル１５を取り外した後で、排気送風機側開口部１５ａから送風機アセンブリ３９を取り出すことが可能である。
【００５３】
また、実施の形態に係る熱交換換気装置５０は、給気送風機側開口部１４ａと排気送風機側開口部１５ａとが別個に設けられているため、給気外側送風機ユニット９及び給気内側送風機ユニット９ａのメンテナンス時には、排気内側送風機ユニット９ｂ及び排気外側送風機ユニット９ｃを取り外す必要はない。同様に、排気内側送風機ユニット９ｂ及び排気外側送風機ユニット９ｃのメンテナンス時には、給気外側送風機ユニット９及び給気内側送風機ユニット９ａを取り外す必要はない。すなわち、送風機ユニットのメンテナンス時、本来取り外す必要のない部品まで取り出す必要はない。
【００５４】
実施の形態に係る熱交換換気装置５０は、給気送風機側開口部１４ａ及び排気送風機側開口部１５ａはケーシング１の底面側に設けられているため、ケーシング１の側方に送風機ユニットを取り出す空間を確保する必要はなく、天井裏で熱交換換気装置が占有するスペースが増大することを抑制できる。
【００５５】
また、実施の形態に係る熱交換換気装置５０は、給気外側送風機ユニット９及び排気外側送風機ユニット９ｃをスライドする際、給気外側送風機ユニット反モータ側風路１６及び排気外側送風機ユニット反モータ側風路１７を使用することで、給気送風機ユニットモータ側風路１６ａ及び排気外側送風機ユニットモータ側風路１７ａのスペースを大きくすることが可能なため、ケーシング１の外に送風機ユニットを取り出さなくても、ケーシング１内に送風機メンテナンススペースを確保することが可能であり、ケーシング１の外のメンテナンススペースを抑えることができ、天井裏の製品占有スペースの増加を抑えることが可能である。
【００５６】
以上のように、実施の形態に係る熱交換換気装置５０は、送風機の取り出しの容易化、製品の小型化及び製品占有スペースの削減が可能である。
【００５７】
なお、実施の形態に係る熱交換換気装置５０は、給気内側送風機ユニット９ａ及び排気内側送風機ユニット９ｂを給気内側送風機ユニット反モータ側風路１６ｂ及び排気内側送風機ユニット反モータ側風路１７ｂのスペースへスライドするように構成することも可能である。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  ケーシング、１ａ  室内側底面、１ｂ  室外側底面、１ｃ  吸込口側側面、１ｄ  吹出口側側面、１ｅ  室内側側面、１ｆ  室外側側面、１ｇ  室内側天面、１ｈ  室外側天面、２  室外側吸込口、３  室外側吹出口、４  室内側吸込口、５  室内側吹出口、６  給気路、６ａ  熱交換器通過前給気路、６ｂ  熱交換器通過後給気路、６ｃ  給気送風機ユニット通過前給気路、６ｄ  給気送風機ユニット通過後給気路、７  排気路、７ａ  熱交換器通過前排気路、７ｂ  熱交換器通過後排気路、７ｃ  排気送風機ユニット通過前排気路、７ｄ  排気送風機ユニット通過後排気路、８  バイパス風路、９  給気外側送風機ユニット、９ａ  給気内側送風機ユニット、９ｂ  排気内側送風機ユニット、９ｃ  排気外側送風機ユニット、１０  内部風路仕切り部品、１１  開閉ダンパー、１２  熱交換器、１３  熱交換器メンテナンスパネル、１３ａ  熱交換器側開口部、１４  給気送風機メンテナンスパネル、１４ａ  給気送風機側開口部、１５  排気送風機メンテナンスパネル、１５ａ  排気送風機側開口部、１６  給気外側送風機ユニット反モータ側風路、１６ａ  給気外側送風機ユニットモータ側風路、１６ｂ  給気内側送風機ユニット反モータ側風路、１７  排気外側送風機ユニット反モータ側風路、１７ａ  排気外側送風機ユニットモータ側風路、１７ｂ  排気内側送風機ユニット反モータ側風路、３１  スクロールケーシング、３１ａ，３１ｂ  ベルマウス部、３１ｃ  出口部、３２  送風機羽根、３３ａ  風路固定部、３３ｂ  送風機モータ固定部、３４  送風機ユニット固定部品、３５  送風機モータ、３６  アセンブリ固定ねじ、３７  送風機アセンブリ位置決め用引っ掛け部、３８  ねじ、３９  送風機アセンブリ、４２  制御箱、５０  熱交換換気装置。
【図１】
2017072902.tif 000003
【図２】
2017072902.tif 000004
【図３】
2017072902.tif 000005
【図４】
2017072902.tif 000006
【図５】
2017072902.tif 000007
【図６】
2017072902.tif 000008
【図７】
2017072902.tif 000009
【図８】
2017072902.tif 000010
【図９】
2017072902.tif 000011
【図１０】
2017072902.tif 000012
【図１１】
2017072902.tif 000013
【図１２】
2017072902.tif 000014
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
室外空気を室内に給気する給気路及び室内空気を室外に排気する排気路が設けられたケーシングと、
前記ケーシングの内部に設置されて前記給気路を通る給気流と前記排気路を通る排気流との間で熱交換を行う熱交換器と、
前記ケーシングの内部に固定されて前記給気流を発生させる給気送風機ユニットと、
前記ケーシングの内部に固定されて前記排気流を発生させる排気送風機ユニットとを有し、
前記ケーシングは、底面に送風機メンテナンス用開口部を備え、
前記給気送風機ユニット及び前記排気送風機ユニットの各々は、前記給気流又は前記排気流を発生させるファンと、前記ファンを回転させる送風機モータと、一方の面側に前記送風機モータが配置され、前記一方の面と対向する他方の面に空気を取り込むベルマウス部を備え、前記ファンを収容するスクロールケーシングとを有し、
前記給気送風機ユニット及び前記排気送風機ユニットの少なくとも一方は、前記ケーシングとの固定を外すことで、前記送風機モータの軸方向において、吸込口に繋がる反モータ側風路へ移動可能であり、かつ、前記送風機モータ及び前記ファンを含む送風機アセンブリは、前記スクロールケーシングから分離することで、前記送風機メンテナンス用開口部を通して前記ケーシングの外に取り出し可能であることを特徴とする熱交換換気装置。
【請求項２】
前記給気送風機ユニット及び前記排気送風機ユニットを各々複数有し、
複数の前記給気送風機ユニット及び前記排気送風機ユニットが前記送風機モータの軸方向に並んで配置されていることを特徴とする請求項１に記載の熱交換換気装置。
【請求項３】
前記給気送風機ユニット及び前記排気送風機ユニットの少なくとも一方は、前記スクロールケーシングの前記一方の面にも前記ベルマウス部を備えることを特徴とする請求項１に記載の熱交換換気装置。
【請求項４】
前記反モータ側風路へ移動可能な前記給気送風機ユニット及び前記排気送風機ユニットの少なくとも一方は、モータ側風路の前記送風機モータの軸方向における長さが、前記給気送風機ユニット又は前記排気送風機ユニットが前記ケーシングに固定された状態では前記送風機アセンブリの長さより短く、前記給気送風機ユニット又は前記排気送風機ユニットを前記反モータ側風路へ移動させた状態では前記送風機アセンブリの長さより長いことを特徴とする請求項１から３のいずれか１項に記載の熱交換換気装置。
【請求項５】
前記送風機メンテナンス用開口部は、前記モータ側風路に通じていることを特徴とする請求項４に記載の熱交換換気装置。
【手続補正２】
【補正対象書類名】明細書
【補正対象項目名】０００８
【補正方法】変更
【補正の内容】
【０００８】
上述した課題を解決し、目的を達成するために、本発明は、室外空気を室内に給気する給気路及び室内空気を室外に排気する排気路が設けられたケーシングと、ケーシングの内部に設置されて給気路を通る給気流と排気路を通る排気流との間で熱交換を行う熱交換器と、ケーシングの内部に固定されて給気流を発生させる給気送風機ユニットと、ケーシングの内部に固定されて排気流を発生させる排気送風機ユニットとを有する。本発明において、ケーシングは、底面に送風機メンテナンス用開口部を備え、給気送風機ユニット及び排気送風機ユニットの各々は、給気流又は排気流を発生させるファンと、ファンを回転させる送風機モータと、一方の面側に送風機モータが配置され、一方の面と対向する他方の面に空気を取り込むベルマウス部を備え、ファンを収容するスクロールケーシングとを有する。給気送風機ユニット及び排気送風機ユニットの少なくとも一方は、ケーシングとの固定を外すことで、送風機モータの軸方向において、吸込口に繋がる反モータ側風路へ移動可能であり、かつ、送風機モータ及びファンを含む送風機アセンブリは、スクロールケーシングから分離することで、送風機メンテナンス用開口部を通してケーシングの外に取り出し可能である。
【手続補正３】
【補正対象書類名】明細書
【補正対象項目名】００１４
【補正方法】変更
【補正の内容】
【００１４】
ケーシング１は、直方体の箱体であり、室外側吸込口２及び室内側吸込口４が形成された吸込口側側面１ｃと、吸込口側側面１ｃと対向し、室外側吹出口３及び室内側吹出口５が設けられた吹出口側側面１ｄと、熱交換器１２の出し入れを行うための熱交換器側開口部１３ａが形成された室内側側面１ｅと、給気外側送風機ユニット９及び給気内側送風機ユニット９ａの出し入れを行うための給気送風機側開口部１４ａが形成された室内側底面１ａと、排気内側送風機ユニット９ｂ及び排気外側送風機ユニット９ｃの出し入れを行うための排気送風機側開口部１５ａが形成された室外側底面１ｂと、室内側側面１ｅと対向する室外側側面１ｆと、室内側底面１ａと対向する室内側天面１ｇと、室外側底面１ｂと対向する室外側天面１ｈとを有する。室内側側面１ｅには、制御回路を収容する制御箱４２が設置されている。なお、室内側側面１ｅは、吸込口側側面１ｃとの角部を含む空間に室内空気が取り込まれるために熱交換換気装置５０の「室内側」と称されるものであり、室外側側面１ｆは、吸込口側側面１ｃとの角部を含む空間に室外空気が取り込まれるために熱交換換気装置５０の「室外側」と称される。すなわち、熱交換換気装置５０を設置する方向は、室内側側面１ｅが室内側を向き、室外側側面が室外側を向く方向に限定されることはない。
【手続補正４】
【補正対象書類名】明細書
【補正対象項目名】００１９
【補正方法】変更
【補正の内容】
【００１９】
なお、室外側吸込口２と室内側吹出口５とは、上面視で対角に配置されており、室内側吸込口４と室外側吹出口３とは、上面視で対角に配置されている。
【手続補正５】
【補正対象書類名】明細書
【補正対象項目名】００２４
【補正方法】変更
【補正の内容】
【００２４】
開閉ダンパー１１は、室内側吸込口４と熱交換器１２との間に設置されており、排気路７を通じて室内側から室外側へ排気流を排出するか、バイパス風路８を通じて室内側から室外側へ排気流を排出するかを切り替えることにより、排気流が熱交換器１２を通るか否かが切り替わる。
【手続補正６】
【補正対象書類名】明細書
【補正対象項目名】００３３
【補正方法】変更
【補正の内容】
【００３３】
スクロールケーシング３１は、シロッコファンで構成される送風機羽根３２を内包する吸込型のベルマウス部３１ｂを備え、吹出方向に連続する出口部３１ｃが形成された一体成形物である。すなわち、スクロールケーシング３１は、一方の面側に送風機モータ３５が配置され、送風機モータ３５が配置された一方の面に空気を取り込むベルマウス部３１ａを備え、一方の面と対向する他方の面に空気を取り込むベルマウス部３１ｂを備える。送風機モータ３５は、スクロールケーシング３１の底部に設けられた風路固定部３３ａにアセンブリ固定ねじ３６で固定された送風機モータ固定部３３ｂに固定され、モータ軸は送風機羽根３２を回転可能に軸支している。送風機モータ３５は、モータ軸がケーシング１の室内側底面１ａ及び室外側底面１ｂと平行になるように設置される。
【手続補正７】
【補正対象書類名】明細書
【補正対象項目名】００３８
【補正方法】変更
【補正の内容】
【００３８】
図９は、実施の形態に係る熱交換換気装置の室内側側面から見た送風機ユニットの配置を示す図である。図１０は、実施の形態に係る熱交換換気装置の給気送風機側開口部から見た給気外側送風機ユニットのスライド状態を示す図である。図１１は、実施の形態に係る熱交換換気装置の排気送風機ユニットの取り出し方を示す図である。給気送風機ユニット通過前給気路６ｃは、給気外側送風機ユニット９の反モータ側風路である給気外側送風機ユニット反モータ側風路１６、給気外側送風機ユニット９のモータ側風路である給気外側送風機ユニットモータ側風路１６ａ及び給気内側送風機ユニット９ａの反モータ側風路である給気内側送風機ユニット反モータ側風路１６ｂを備える。排気送風機ユニット通過前排気路７ｃは、排気外側送風機ユニット９ｃの反モータ側風路である排気外側送風機ユニット反モータ側風路１７、排気外側送風機ユニット９ｃのモータ側風路である排気外側送風機ユニットモータ側風路１７ａ及び排気内側送風機ユニット９ｂの反モータ側風路である排気内側送風機ユニット反モータ側風路１７ｂを備える。
【手続補正８】
【補正対象書類名】明細書
【補正対象項目名】００４３
【補正方法】変更
【補正の内容】
【００４３】
給気内側送風機ユニット９ａについても、給気外側送風機ユニット９を室内側側面１ｅ側にスライドさせて給気外側送風機ユニットモータ側風路１６ａのスペースを広げたのち、給気内側送風機ユニット９ａの風路固定部３３ａはケーシング１に固定したまま、送風機モータ固定部３３ｂを固定しているアセンブリ固定ねじ３６を外し、送風機アセンブリ３９のみをモータ軸と平行に給気外側送風機ユニットモータ側風路１６ａ側に移動させてから、給気送風機側開口部１４ａからケーシング１の外に取り出す。
【手続補正９】
【補正対象書類名】明細書
【補正対象項目名】００４５
【補正方法】変更
【補正の内容】
【００４５】
次に、送風機ユニット固定部品３４以外の排気外側送風機ユニット９ｃを室外側側面１ｆ方向にスライドさせる。すなわち、排気外側送風機ユニット９ｃがケーシング１に固定された状態での排気外側送風機ユニットモータ側風路１７ａの送風機モータ３５の軸方向における長さＬ３は、排気外側送風機ユニット９ｃがケーシング１に固定された状態では送風機アセンブリ３９の長さＡより短い。また、排気外側送風機ユニット９ｃを排気外側送風機ユニット反モータ側風路１７へ移動させた状態での排気外側送風機ユニットモータ側風路１７ａの送風機モータ３５の軸方向における長さＬ４は、送風機アセンブリ３９の長さＡより長い。したがって、排気外側送風機ユニット９ｃが排気外側送風機ユニット反モータ側風路１７側に移動した分、排気外側送風機ユニットモータ側風路１７ａのスペースが大きくなり、送風機ユニットのメンテナンス用のスペースが確保される。
【手続補正１０】
【補正対象書類名】明細書
【補正対象項目名】００４７
【補正方法】変更
【補正の内容】
【００４７】
排気内側送風機ユニット９ｂについても、排気外側送風機ユニット９ｃを室外側側面１ｆ側にスライドさせて排気外側送風機ユニットモータ側風路１７ａのスペースを広げたのち、排気内側送風機ユニット９ｂの風路固定部３３ａはケーシング１に固定させたまま、送風機モータ固定部３３ｂを固定しているアセンブリ固定ねじ３６を外し、送風機アセンブリ３９のみをモータ軸と平行に排気外側送風機ユニットモータ側風路１７ａ側に移動させてから、排気送風機側開口部１５ａからケーシング１の外に取り出す。
【手続補正１１】
【補正対象書類名】明細書
【補正対象項目名】００５５
【補正方法】変更
【補正の内容】
【００５５】
また、実施の形態に係る熱交換換気装置５０は、給気外側送風機ユニット９及び排気外側送風機ユニット９ｃをスライドする際、給気外側送風機ユニット反モータ側風路１６及び排気外側送風機ユニット反モータ側風路１７を使用することで、給気外側送風機ユニットモータ側風路１６ａ及び排気外側送風機ユニットモータ側風路１７ａのスペースを大きくすることが可能なため、ケーシング１の外に送風機ユニットを取り出さなくても、ケーシング１内に送風機メンテナンススペースを確保することが可能であり、ケーシング１の外のメンテナンススペースを抑えることができ、天井裏の製品占有スペースの増加を抑えることが可能である。
【国際調査報告】
2017072902.tif 000015
2017072902.tif 000016
2017072902.tif 000017
2017072902.tif 000018